(57)【特許請求の範囲】
【請求項１】
電気的な光源を保持した発光部を有する光源ブロックと、
直管型の蛍光灯に対応した一対のソケットの一方ずつに対して電気的且つ機械的に接続される２個のソケット接続部を有するアダプターと、
前記各ソケットと前記各ソケット接続部とを介して供給された電力を、前記光源を点灯させる電力に変換する点灯装置とを備え、
前記光源ブロックと前記アダプターとには、互いに着脱自在に電気的且つ機械的に接続される接続部が設けられていて、
前記光源ブロックの前記接続部は、導電材料からなる栓刃により構成され、
前記アダプターの前記ソケット接続部は円柱形状の端子ピンを有し、
前記アダプターの前記接続部は、前記端子ピンの軸方向に交差する方向に向けられる面に設けられて前記栓刃が挿入される栓刃挿入穴を有する本体部と、前記栓刃挿入穴の内側において前記本体部に保持され前記栓刃に接触導通する刃受けとにより構成されていることを特徴とする光源装置。
【請求項２】
電気的な光源を保持した発光部を有する光源ブロックと、
直管型の蛍光灯に対応した一対のソケットの一方ずつに対して電気的且つ機械的に接続されるソケット接続部をそれぞれ有する２個のアダプターと、
前記各ソケットと前記各アダプターの前記ソケット接続部とを介して供給された電力を、前記光源を点灯させる電力に変換する点灯装置とを備え、
前記各アダプターにはそれぞれ前記光源ブロックへの接続用の接続部が設けられるとともに、前記光源ブロックには、それぞれ１個ずつの前記アダプターの前記接続部に対して着脱自在に電気的且つ機械的に接続される２個の接続部が設けられていて、
前記光源ブロックの前記接続部は、導電材料からなる栓刃により構成され、
前記アダプターの前記ソケット接続部は円柱形状の端子ピンを有し、
前記アダプターの前記接続部は、前記端子ピンの軸方向に交差する方向に向けられる面に設けられて前記栓刃が挿入される栓刃挿入穴を有する本体部と、前記栓刃挿入穴の内側において前記本体部に保持され前記栓刃に接触導通する刃受けとにより構成されていることを特徴とする光源装置。
【請求項３】
前記点灯装置は前記アダプターに保持されていることを特徴とする請求項１又は請求項２記載の光源装置。
【請求項４】
前記各ソケット接続部は、それぞれ、前記アダプターの前記接続部に対して回転可能に連結されていることを特徴とする請求項１〜３のいずれか１項に記載の光源装置。
【請求項５】
前記光源は発光ダイオードからなることを特徴とする請求項１〜４のいずれか１項に記載の光源装置。
【発明の詳細な説明】
【技術分野】
【０００１】
本発明は、光源装置に関するものである。
【背景技術】
【０００２】
従来から、電気的な光源と該光源を点灯させる点灯装置とを備えた光源装置として、直管型の蛍光灯に対応した照明器具に対し蛍光灯に代えて接続可能な光源装置が提供されている（例えば、特許文献１参照）。
【０００３】
図９に示すように、上記の直管型の蛍光灯７は、熱陰極型の放電灯の一種であって、ガラスのような透光性を有する材料からなり内面に蛍光塗料が塗布されるとともに放電ガスが封入された円筒形状のバルブ７０と、バルブ７０の一端部ずつにそれぞれ固着された口金７１（一端部側のみ図示）と、各口金７１の端面からそれぞれバルブの長手方向（軸方向）の外側に一対ずつ突出してなる給電用の端子ピン７２とを有する。さらに、互いに同じ口金７１に設けられて対をなす端子ピン７２間には、図１０（ａ）に示すようにバルブ７０内においてそれぞれ放電用の電極となるフィラメント７３が接続されている。
【０００４】
また、上記のような直管型の蛍光灯７に対応した照明器具４（図２参照）は、それぞれ蛍光灯７の一対ずつの端子ピン７２が接続される２個のソケット５と、各ソケット５をそれぞれ保持するとともに天井面等の取付面（図示せず）に対して固定される器具本体６とを備える。さらに、照明器具４は、図１０（ａ）に示すように、蛍光灯７の各口金７１についてそれぞれ一方ずつの端子ピン７２に対しそれぞれソケット５を介して電気的に接続される電源装置４０と、両端がそれぞれ蛍光灯７のフィラメント７３を介して電源装置４０の出力端に接続されるようにソケット５に接続されたグローランプ４１とを備える。グローランプ４１は、蛍光灯７の点灯開始時には、各フィラメント７３をそれぞれ予熱する電流の経路を構成するとともに、フィラメント７３間での放電が開始されるために必要な高電圧を発生させる。電源装置４０とグローランプ４１とはそれぞれ器具本体６に保持される。また、電源装置４０は、例えば上記の取付面から引き出された電線（図示せず）を介して外部の交流電源ＡＣから入力された交流電力を、蛍光灯７の点灯に適した交流電力に調整してソケット５間に出力するものである。電源装置４０としては具体的には例えば周知の銅鉄安定器を用いることができる。
【０００５】
そして、図１０（ｂ）に示すように、上記のような照明器具４に対し蛍光灯７に代えて接続可能な光源装置１は、それぞれ上記の蛍光灯７の端子ピン７２と同様の寸法形状及び位置関係で設けられた２対４個の端子ピン３１ｂ（うち電気的接続に寄与する２個のみを図１０（ｂ）では図示）を有し、点灯装置１０は端子ピン３１ｂを介して照明器具４の電源装置４０から電力を供給される。点灯装置１０によって点灯される光源としては例えば発光ダイオードアレイ１２が用いられ、この場合、点灯装置１０は、ソケット５と端子ピン３１ｂとを介して照明器具４から供給された交流電力を適宜電圧の直流電力に変換して発光ダイオードアレイ１２に出力する周知の直流電源回路からなる。なお、上記のような光源装置１の接続に当ってグローランプ４１を取り外す必要は特に無いが、図１０（ｂ）ではグローランプ４１の図示は省略している。
【０００６】
ここで、上記の照明器具４に設けられて上記のような直管型の蛍光灯７の一対の端子ピン７２が接続されるソケット５としては、蛍光灯７の着脱時に蛍光灯７をソケット５に対して蛍光灯７の中心軸周りに回転させる必要がある、いわゆる回転式のソケット５がある（例えば、特許文献２参照）。
【０００７】
図１１及び図１２に、回転式のソケット５の一例を示す。このソケット５は、器具本体６に対して固定されるソケットケース５１と、ソケットケース５１に対して回転自在に支持された回転子５２と、導電材料からなりソケットケース５１に保持された一対の接触子５３とを備える。上記一対の接触子５３のうち一方は電源装置４０の一方の出力端に電気的に接続され、他方はグローランプ４１の一端に電気的に接続される。
【０００８】
詳しく説明すると、ソケットケース５１において蛍光灯７に向けられる面には、各接触子５３がそれぞれ収納されるとともに回転子５２が嵌め込まれる断面円形状の収納凹部５０が設けられている。さらに、ソケットケース５１には、器具本体６の反対側に向けられる面に開口するとともに収納凹部５０に連通して一対の端子ピン７２が通過するケース側スリット５１ａが設けられている。また、回転子５２は全体として円板形状であって厚さ方向を収納凹部５３の深さ方向に向けて収納凹部５０に嵌め込まれるものである。さらに、回転子５２には、厚さ方向の両側と径方向の一端とにそれぞれ開口した回転子側スリット５２ａが形成されている。回転子側スリット５２ａは一対の端子ピン７２を同時に挿通可能な程度に大きくされ、且つ、回転子側スリット５２ａの幅寸法は端子ピン７２の外径よりもわずかに大きい程度とされており、一対の端子ピン７２が回転子側スリット５２ａに挿通された状態では回転子５２は蛍光灯７の回転に連動する。また、各接触子５３はそれぞれ金属製の板ばねからなり、回転子側スリット５２ａをケース側スリット５１ａに連通させた状態では、２個の接触子５３は回転子側スリット５２ａに対して幅方向の互いに異なる側に位置する。
【０００９】
上記のような回転式のソケット５に対して蛍光灯７を接続する際には、回転子側スリット５２ａをケース側スリット５１ａに連通させた状態でケース側スリット５１ａを通じて一対の端子ピン７２を回転子側スリット５２ａに挿入し、蛍光灯７をバルブ７０の中心軸周りに約９０°回転させる。すると、各端子ピン７２がそれぞれ一方ずつの接触子５３に接触導通することで点灯装置１０と電源装置４０との電気的な接続が達成される。この状態では、ケース側スリット５１ａが回転子側スリット５２ａに連通せず、回転子側スリット５２ａの径方向の開口がソケットケース５１によって閉塞されるから、各端子ピン７２がソケット５から脱落することはなく、つまり機械的な接続も達成されている。また、各接触子５３において、それぞれ、端子ピン７２に対する接触圧は、接触子５３のばね力によって確保される。
【００１０】
また、蛍光灯７を取り外す際には、接続時とは逆向きに蛍光灯７を回転させることで回転子側スリット５２ａをケース側スリット５１ａに連通させ、ケース側スリット５１ａを通して各端子ピン７２をそれぞれ回転子側スリット５２ａから抜くことにより、蛍光灯７を取り外すことができる。
【先行技術文献】
【特許文献】
【００１１】
【特許文献１】特開平１１−２６０１２５号公報
【特許文献２】特開平１１−３４５６６３号公報
【発明の概要】
【発明が解決しようとする課題】
【００１２】
ところで、直管型の蛍光灯７に代えて用いられる光源装置１において、光束をより高くするには、光源の規模を拡大すること（例えば、発光ダイオードアレイ１２の場合には、発光ダイオードの個数を増加させることや、個々の発光ダイオードのサイズを大きくすること）が考えられる。この場合、光源装置１において、発光ダイオードアレイ１２のような光源を保持する発光部２１（図７参照）の寸法形状を大きくする必要が生じる。
【００１３】
しかしながら、上記のような回転式のソケット５を備えた照明器具４に対し、光源装置１が、蛍光灯７と同様にして、つまり照明器具４に対して光源装置１全体を回転させることで着脱される構成を採用すると、その回転時に器具本体６等との間で干渉が発生しないように、光源装置１の寸法形状を設計する必要がある。そうすると、光源装置１において光源を保持する発光部２１の寸法形状に制限がかかってしまい、従って光束にも限界が生じる。
【００１４】
本発明は、上記事由に鑑みて為されたものであり、その目的は、一対の回転式のソケットに対して接続可能でありながらも、発光部の寸法形状の自由度が向上した光源装置を提供することにある。
【課題を解決するための手段】
【００１５】
第１の発明は、電気的な光源を保持した発光部を有する光源ブロックと、直管型の蛍光灯に対応した一対のソケットの一方ずつに対して電気的且つ機械的に接続される２個のソケット接続部を有するアダプターと、前記各ソケットと前記各ソケット接続部とを介して供給された電力を、前記光源を点灯させる電力に変換する点灯装置とを備え、前記光源ブロックと前記アダプターとには、互いに着脱自在に電気的且つ機械的に接続される接続部が設けられていて、前記光源ブロックの前記接続部は、導電材料からなる栓刃により構成され、前記アダプターの前記ソケット接続部は円柱形状の端子ピンを有し、前記アダプターの前記接続部は、前記端子ピンの軸方向に交差する方向に向けられる面に設けられて前記栓刃が挿入される栓刃挿入穴を有する本体部と、前記栓刃挿入穴の内側において前記本体部に保持され前記栓刃に接触導通する刃受けとにより構成されていることを特徴とする。
【００１６】
第２の発明は、電気的な光源を保持した発光部を有する光源ブロックと、直管型の蛍光灯に対応した一対のソケットの一方ずつに対して電気的且つ機械的に接続されるソケット接続部をそれぞれ有する２個のアダプターと、前記各ソケットと前記各アダプターの前記ソケット接続部とを介して供給された電力を、前記光源を点灯させる電力に変換する点灯装置とを備え、前記各アダプターにはそれぞれ前記光源ブロックへの接続用の接続部が設けられるとともに、前記光源ブロックには、それぞれ１個ずつの前記アダプターの前記接続部に対して着脱自在に電気的且つ機械的に接続される２個の接続部が設けられていて、前記光源ブロックの前記接続部は、導電材料からなる栓刃により構成され、前記アダプターの前記ソケット接続部は円柱形状の端子ピンを有し、前記アダプターの前記接続部は、前記端子ピンの軸方向に交差する方向に向けられる面に設けられて前記栓刃が挿入される栓刃挿入穴を有する本体部と、前記栓刃挿入穴の内側において前記本体部に保持され前記栓刃に接触導通する刃受けとにより構成されていることを特徴とする。
【００１７】
第３の発明は、第１又は第２の発明において、前記点灯装置は前記アダプターに保持されていることを特徴とする。
【００１８】
第４の発明は、第１〜第３のいずれかの発明において、前記各ソケット接続部は、それぞれ、前記アダプターの前記接続部に対して回転可能に連結されていることを特徴とする。
【００１９】
第５の発明は、第１〜第４のいずれかの発明において、前記光源は発光ダイオードからなることを特徴とする。
【発明の効果】
【００２０】
回転式のソケットへの接続時には、各アダプターをそれぞれ光源ブロックから分離させることで、発光部を回転させずに各ソケット接続部をそれぞれ回転させることができることにより、少なくとも発光部についてはソケットに対しソケット接続部のような回転をさせる必要がないから、回転式のソケットへの接続時に光源装置の全体を回転させる必要がある場合に比べ、発光部の寸法形状の自由度が高い。
【図面の簡単な説明】
【００２１】
【図１】本発明の実施形態１を示す分解斜視図である。
【図２】同上が照明器具に接続された状態を示す斜視図である。
【図３】本発明の実施形態２を示す分解斜視図である。
【図４】同上が照明器具に接続された状態を示す斜視図である。
【図５】同上の光源ブロックを示す側面図である。
【図６】蛍光灯等を接続時に回転させる必要が無いソケットの一例を示す斜視図である。
【図７】図６のソケットを備える照明器具に対して接続可能な光源装置の一例を示す斜視図である。
【図８】図６のソケットを備える照明器具に対して図７の光源装置が接続された状態を示す斜視図である。
【図９】直管型の蛍光灯の一端部を示す平面図である。
【図１０】（ａ）は照明器具に蛍光灯が接続された状態を示すブロック図であり、（ｂ）は照明器具に光源装置が接続された状態を示すブロック図である。
【図１１】回転式のソケットの一例を示す分解斜視図である。
【図１２】（ａ）（ｂ）はそれぞれ図１１のソケットを示し、（ａ）は左側面図、（ｂ）は正面図である。
【発明を実施するための形態】
【００２２】
以下、本発明を実施するための最良の形態について、図面を参照しながら説明する。
【００２３】
なお、以下の各実施形態において、光源装置１が接続される照明器具４としては、従来例で図９〜図１２を用いて説明したように直管型の蛍光灯７に対応した回転式のソケット５を有するものが想定されている。また、図１０（ｂ）で説明した従来例と共通する部分については説明を省略する。
【００２４】
（実施形態１）
図１及び図２に示すように、本実施形態の光源装置１は、電気的な光源としての複数個（図では３９個）の発光ダイオード１１を保持した光源ブロック２と、それぞれ１個ずつの回転式のソケット５に対して電気的且つ機械的に接続される２個のソケット接続部３１を有するアダプター３とを備える。上記複数個の発光ダイオード１１は、互いに直列に接続されて発光ダイオードアレイ１２（図１０（ｂ）参照）を構成している。また、本実施形態における点灯装置１０は、光源ブロック２の各発光ダイオード１１をそれぞれ点灯させる直流電力を生成する周知の直流電源回路からなり、アダプター３に収納及び保持されている。
【００２５】
以下、上下左右は図１を基準とし、図１の奥行方向を前後方向と呼ぶ。なお、上記の方向は説明の便宜上定義するものであって、実際の使用状態での方向とは必ずしも一致しない。
【００２６】
光源ブロック２は、全体として上下方向に扁平な直方体形状であって各発光ダイオード１１の光をそれぞれ下方に出射させる形で各発光ダイオード１１をそれぞれ保持した発光部２１と、発光部２１の上面の中央部から上方に突設された直方体形状の凸台部２２とを有する。凸台部２２には、それぞれ導電材料（例えば金属）からなり凸台部２２の上面から突出した接続部としての２個の栓刃２３が左右に並んで保持されている。各栓刃２３は、それぞれ、上端部が左右方向の内向きに曲がったＬ字形状となっている。また、各栓刃２３は、それぞれ、発光ダイオードアレイ１２の一端ずつに電気的に接続されている。
【００２７】
アダプター３は、直方体形状であって左右両端にそれぞれソケット接続部３１が設けられた本体部３２を有する。各ソケット接続部３１は、それぞれ、軸方向を左右方向に向けた円柱形状の基台部３１ａと、基台部３１ａにおいて左右方向の外側の底面から突設された２個の端子ピン３１ｂとを有する。各端子ピン３１ｂの寸法形状及び配置は、蛍光灯７の端子ピン７２と同様とされている。すなわち、各端子ピン３１ｂはそれぞれ軸方向を左右方向に向けた円柱形状であり、各ソケット接続部３１においてそれぞれ端子ピン３１ｂの中心軸同士は互いに平行であって、互いに異なるソケット接続部３１の１個ずつの端子ピン３１ｂの中心軸は互いに同一直線上に位置する。なお、上記の２対の端子ピン３１ｂは４個全てが導電材料で構成される必要はなく、各接続部３１について、それぞれ、電源装置４０側に接続される一方の端子ピン３１ｂのみが導電材料で構成されていればよいのであって、他方の端子ピン３１ｂ（つまりグローランプ４１側の接触子５３に接触するもの）は絶縁材料で構成されていてもよい。
【００２８】
また、アダプター３は、蛍光灯７と同様に、各ソケット接続部３１でそれぞれ端子ピン３１ｂが上下方向に並ぶような向きで各端子ピン３１ｂをそれぞれ下方からソケット５のケース側スリット５１ａに導入した後に、図１に矢印Ａ１で示すように約９０°回転させることで各ソケット５に対して電気的且つ機械的に接続される。そして、アダプター３の全体的な寸法形状は、ソケット５に対する着脱の際の回転時に器具本体６等との干渉が発生しないような寸法形状とされている。具体的には例えば、ソケット接続部３１の基台部３１ａの外径は直管型の蛍光灯７のバルブ７０の外径以下とされ、本体部３２の寸法形状は、左右方向（すなわちソケット接続部３１の基台部３１ａの軸方向）から見てソケット接続部３１の外側（前後方向及び上下方向）に突出しないような寸法形状とされる。
【００２９】
さらに、アダプター３の本体部３２において、照明器具４への接続が完了した状態で下方に向けられる面の中央部には、それぞれ１個ずつの栓刃２３が挿入される２個の栓刃挿入穴３２ａが左右に並べて設けられている。また、各栓刃挿入穴３２ａの内側には、それぞれ、端子ピン３１ｂを介して点灯装置１０の一方ずつの出力端に電気的に接続される導電材料からなる刃受け（図示せず）が保持されている。すなわち、各栓刃２３がそれぞれ栓刃挿入穴３２ａに挿入されて上記の刃受けに接触導通することで、発光ダイオードアレイ１２と点灯装置１０との電気的な接続が達成される。また、下方から見ると、各栓刃挿入穴３２ａは、それぞれ、同心の円弧形状であり、反時計回り方向の一端部のみ栓刃２３の先端部を挿通可能な寸法形状となっていて、他の部位は栓刃２３の先端部以外のみを挿通可能な寸法形状となっている。すなわち、アダプター３に対して光源ブロック２を接続する際には、図１に矢印Ａ２で示すように各栓刃挿入穴３２ａの上記一端部にそれぞれ栓刃２３を導入した状態で、光源ブロック２をアダプター３に対して下方から見て時計回りに回転させる。すると、各栓刃２３の上端部がそれぞれ栓刃挿入穴３２ａの上記他の部位に係入して本体部３２の内面に引っかかる。ここにおいて、アダプター３の下方への光源ブロック２の脱落が防止され、すなわち機械的な接続が達成される。上記の各刃受けは、それぞれ、上記のようにアダプター３の下方への光源ブロック２の脱落が防止された状態で栓刃３２に対し一対一に接触導通するように配置されている。すなわち、光源ブロック２においては各栓刃２３がそれぞれ接続部を構成し、アダプター３においては本体部３２と上記の各刃受けとがそれぞれ接続部を構成している。
【００３０】
上記構成によれば、それぞれ１個ずつのソケット５に接続される２個のソケット接続部３１と、光源たる各発光ダイオード１１（発光ダイオードアレイ１２）をそれぞれ保持した発光部２１とが、別部品であって互いに着脱自在なアダプター３と光源ブロック２とに分けて設けられていることにより、アダプター３については蛍光灯７と同様の回転によって各ソケット５に接続可能な寸法形状としながらも、光源ブロック２についてはアダプター３のような回転をさせる必要がないから寸法形状の自由度が高い。従って、アダプター３と光源ブロック２とが分離不可能であって各ソケット５への接続時に光源装置１全体を回転させる必要がある場合に比べ、発光部２１の寸法形状の自由度が高くなり、例えば発光部２１の大型化による光束の向上が可能となる。
【００３１】
さらに、本実施形態では、アダプター３が各ソケット５に接続され且つ光源ブロック２がアダプター３に接続された状態では発光部２１の上面が各ソケット５の下端よりも下方に位置するように、各部の寸法形状が決定されている。これにより、発光部２１の左右の寸法をソケット５間の距離よりも大きくすることが可能となっている。
【００３２】
なお、本実施形態では点灯装置１０はアダプター３に収納及び保持されているとしたが、点灯装置１０を構成する回路部品の一部又は全部を光源ブロック２に保持させてもよい。
【００３３】
（実施形態２）
本実施形態の基本構成は実施形態１と共通であるので、共通する部分についての説明は省略する。
【００３４】
本実施形態は、図３及び図４に示すように、アダプター３がソケット５に一対一に対応して２個設けられていることを特徴とする。
【００３５】
すなわち、各アダプター３は、それぞれ、１個ずつのソケット接続部３１と、ソケット接続部３１に対し端子ピン３１ａの反対側に連結された直方体形状の本体部３２とを有する。従って、各アダプター３は、それぞれソケット５に対して図３に矢印Ａ１で示すように回転させることで回転式のソケット５に対する着脱が可能となっている。また、各アダプター３において、本体部３２の下面には、それぞれ前後に並んだ２個の栓刃挿入穴３２ａが設けられており、各栓刃挿入穴３２ａの内側にはそれぞれ後述する栓刃２３が接触導通する刃受け（図示せず）が保持されている。
【００３６】
また、光源ブロック２において、発光部２１の上面には、アダプター３に一対一に対応して２個の直方体形状の凸台部２２が設けられている。各凸台部２２にはそれぞれ前後に並んで凸台部２２の上方に突出する２個の栓刃２３が保持されている。各栓刃２３はそれぞれ図５に示すように上端部が前後方向（図５での左右方向）の外側に曲がったＬ字形状となっている。さらに、各栓刃２３はそれぞれ凸台部２２に対して所定の可動範囲内で前後方向に可動となっていて、光源ブロック２にはそれぞれ発光部２１の下方に突出して１個ずつの栓刃２３に連動するハンドル２４が、栓刃２３に一対一に対応して４個設けられている。また、各凸台部２２には、それぞれ、図５に矢印Ａ３で示すように各栓刃２３を互いから引き離す方向に付勢する復帰ばね（図示せず）が収納されており、ハンドル２４が操作力を受けていない状態では、上記の復帰ばねのばね力により、各栓刃２３は、前後に並ぶ栓刃２３間の間隔を最も大きくする位置（以下、「復帰位置」と呼ぶ。）に維持される。
【００３７】
また、各栓刃挿入穴３２ａは、それぞれ、図５に矢印Ａ５で示すように各栓刃２３が上記の復帰位置から互いに近付く方向にある程度以上変位した状態でのみ各栓刃２３の上端部がそれぞれ挿通可能となるような寸法形状とされている。すなわち、各アダプター３にそれぞれ光源ブロック２を接続する際には、各ハンドル２４に対してそれぞれ図５に矢印Ａ４で示すように上記の復帰ばねのばね力の逆向きの操作力を加えて上記の復帰ばねを弾性変形させた状態で各栓刃２３をそれぞれ図３に矢印Ａ２で示すように栓刃挿入穴３２ａに挿入した後、各ハンドル２４への操作力を解除する。すると、上記の復帰ばねのばね力により各栓刃２３がそれぞれ復帰位置に復帰する。ここにおいて、各栓刃２３の上端部がそれぞれ本体部３２の内面に引っかかることで機械的接続が達成され、各栓刃２３がそれぞれ栓刃挿入穴３２ａ内の刃受けに接触導通することで電気的接続が達成される。すなわち、光源ブロック２においては各栓刃２３がそれぞれ接続部を構成し、各アダプター３においてはそれぞれ本体部３２と上記の刃受けとが接続部を構成している。
【００３８】
ここで、点灯装置１０を構成する各回路部品は、各アダプター３と光源ブロック２とに適宜保持させればよく、例えば全ての回路部品を光源ブロック２に保持させてもよいし、一方又は両方のアダプター３にそれぞれ一部ずつの回路部品を保持させてもよい。また、適宜の手段によってアダプター３同士を互いに電気的に接続するか、又は、点灯装置１０として半波整流を用いた直流電源回路を採用すれば、アダプター３に保持させた回路部品のみで点灯装置１０を構成することも可能である。
【００３９】
上記構成によれば、発光部２１が設けられた光源ブロック２に対してそれぞれ着脱自在な２個のアダプター３にそれぞれソケット接続部３１が設けられていることにより、発光部２１の寸法形状の自由度の向上の効果を実施形態１と同様に得ることができる。また、実施形態１と比較すると、部品点数が増加する代わりに、個々のアダプター３を軽量化して照明器具４への着脱を容易とすることができる。
【００４０】
なお、上記の各実施形態において、それぞれ、ソケット接続部３１を、回転式のソケット５に対する着脱時に必要な回転方向（すなわち基台部３１ａの中心軸周り）について、本体部３２に対し回転可能としてもよい。この場合、アダプター３が光源ブロック２に接続されたままであっても、発光部２１を回転させることなくソケット接続部３１を回転させることで回転式のソケット５に対する着脱が可能となる。従って、アダプター３を光源ブロック２に対して着脱自在とせず一体の構造とし、つまり各ソケット接続部３１がそれぞれ発光部２１に対して上記の回転方向に回転可能に連結されたような構造としても、発光部２１の寸法形状の自由度の向上の効果を得ることができる。
【００４１】
また、上記の各実施形態において、それぞれ、発光部２１に保持される光源としては、発光ダイオード１１（発光ダイオードアレイ１２）に代えて、例えば有機ＥＬ等の他の周知の電気的光源を用いてもよい。
【００４２】
ところで、ソケット５としては、上記のような回転式のもの以外に、接続される蛍光灯７等の回転を必要としないものも知られている。この種のソケット５として、例えば図６に示すものがある（例えば、特開２００８−２０４７４７号公報参照）。このソケット５では、各接触子５３は、それぞれ、回転子５２に保持されており、回転子５２とともにソケットケース５１に対して矢印Ａ６で示すように回転する。また、ケース側スリット５１ａは、内面が各端子ピン３１ｂ，７２に当接することで蛍光灯７等の回転を禁止する形状となっている。つまり、回転式のソケット５とは逆に、各接触子５３がそれぞれ可動側となり、各端子ピン３１ｂ，７２がそれぞれ固定側となっている。上記のソケット５においては、蛍光灯７等が着脱される際、回転子５２が直接に操作力を受けて回転するので、この操作力を受けるためのレバー５２ｂが回転子５２に設けられている。図７に示すように、各端子ピン３１ｂと発光部２１との相互の位置関係が固定され、各ソケット５がそれぞれ回転式である場合には接続することができないような寸法形状の光源装置１であっても、上記のように各ソケット５において各接触子５３がそれぞれソケットケース５１に対して回転可能となっている照明器具４に対しては、図８に示すように接続することができる。
【符号の説明】
【００４３】
１  光源装置
２  光源ブロック
３  アダプター
５  ソケット
７  蛍光灯
１０  点灯装置
１１  発光ダイオード（光源）
１２  発光ダイオードアレイ（光源）
２１  発光部
２３  栓刃（接続部）
３１  ソケット接続部
３２  本体部（接続部）
【図１】
0005432788.tif 000002
【図２】
0005432788.tif 000003
【図３】
0005432788.tif 000004
【図４】
0005432788.tif 000005
【図５】
0005432788.tif 000006
【図６】
0005432788.tif 000007
【図７】
0005432788.tif 000008
【図８】
0005432788.tif 000009
【図９】
0005432788.tif 000010
【図１０】
0005432788.tif 000011
【図１１】
0005432788.tif 000012
【図１２】
0005432788.tif 000013